(57)【特許請求の範囲】
【請求項１】
燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御する燃焼機器において、通常の標準モードによって燃焼ファンの回転制御を行うための通常時のファン風量制御データと、燃焼機器が設置されている室内が前記標準モード時よりも負圧状態時に上記通常時のファン風量制御データよりも燃焼ファンの回転数をアップさせて燃焼ファンの回転制御を行うための負圧時のファン風量制御データと、通常時のファン風量制御データが持つ燃焼可能な燃焼ファンの風量領域と上記負圧時のファン風量制御データが持つ燃焼可能な燃焼ファンの風量領域とがオーバーラップする領域に設定された点火時のファン風量制御データとを有し、点火を行うときには上記点火時のファン風量制御データに従って燃焼ファンの回転制御を行う点火時風量制御部が設けられていることを特徴とする燃焼機器。
【請求項２】
室内の負圧状態を検知する負圧検知手段が設けられ、この負圧検知手段により室内の負圧状態が検知されたときには、点火時風量制御部によって点火時の燃焼ファンの回転制御が行われた後に、点火時のファン風量制御データから負圧時のファン風量制御データに転移させて燃焼ファンの回転制御を行い、それ以外のときには点火時のファン風量制御データから通常時のファン風量制御データに転移させて燃焼ファンの回転制御を行う制御データ転移制御部を設けたことを特徴とする請求項１記載の燃焼機器。
【請求項３】
燃焼火炎を検知するフレームロッド電極と、排気ガス中のＣＯ濃度を検出するＣＯセンサとが設けられており、負圧検知手段は、上記ＣＯセンサにより検出出力される排気ガス中のＣＯ濃度が予め定めた危険値以上に増加したときに室内の負圧を検知する基本機能に加えて、上記フレームロッド電極により検出出力されるフレームロッド電流値が予め定めた上側しきい値を上側に越えたときに室内の負圧を検知する機能と、上記フレームロッド電流値の上昇変化量が予め定めた負圧検知基準時間内で予め定めた上昇変化基準値を越えたときに室内の負圧を検知する機能と、フレームロッド電流値の下降変化量が上記負圧検知基準時間よりも時間幅が短い微小設定時間内で予め定めた下降変化基準値を越えたときに室内の負圧を検知する機能との１つ以上の付加機能を備えており、予め定めた設定の燃焼能力よりも低い燃焼能力で燃焼運転が行われているときには前記基本機能と付加機能の組み合わせによって室内の負圧を検知し、それ以外のときには前記基本機能によって室内の負圧を検知する構成としたことを特徴とする請求項２記載の燃焼機器。
【請求項４】
燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御を行う燃焼機器において、通常の標準モードによって燃焼ファンの回転制御を行うための通常時のファン風量制御データと、燃焼機器が設置されている室内が前記標準モード時よりも負圧状態時に上記通常時のファン風量制御データよりも風量をアップさせ、かつ、室内の負圧の強度が高くなるにつれファン風量をよりアップさせて負圧の強度に応じて燃焼ファンの回転制御を行うための負圧モード時の複数段のファン風量制御データとが予め与えられると共に、前記標準モード時と負圧モード時の各ファン風量制御データが持つ燃焼可能な燃焼ファンの風量領域がオーバーラップする領域に設定された点火時のファン風量制御データが複数個予め与えられており、点火を行うときには、前回の燃焼停止時に使用されていたファン風量制御データの上又は下の一方側に配置される点火時のファン風量制御データに基づいて点火動作を行い、点着火が達成されないときには前記上又は下の他方側に配置される点火時のファン風量制御データに基づいて点火動作を行う点火時風量制御部が設けられていることを特徴とする燃焼機器。
【請求項５】
燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御する燃焼機器の点火方法において、通常の標準モードによって燃焼ファンの回転制御を行うための通常時のファン風量制御データと、燃焼機器が設置されている室内が前記標準モード時よりも負圧状態時に上記通常時のファン風量制御データよりも燃焼ファンの回転数をアップさせて燃焼ファンの回転制御を行うための負圧時のファン風量制御データと、通常時のファン風量制御データが持つ燃焼可能な燃焼ファンの風量領域と上記負圧時のファン風量制御データが持つ燃焼ファンの風量領域とがオーバーラップする領域に設定された点火時のファン風量制御データとを予め与えておき、点火を行うときには上記点火時のファン風量制御データに従って燃焼ファンの回転制御を行って点着火を達成させる燃焼機器の点火方法。
【発明の詳細な説明】
【０００１】
【発明の属する技術分野】
本発明は燃焼ファンの回転駆動により供給される空気を利用して燃焼を行う給湯器や風呂装置等の燃焼機器およびその点火方法に関するものである。
【０００２】
【従来の技術】
図８には室内設置可能型の給湯器や風呂装置等の燃焼機器の一例が示されている。この図８に示す燃焼機器（器具）はバーナー１と該バーナー１の燃焼の給排気を行う燃焼ファン２とを器具ケース３内に有し、器具ケース３に設けられた空気の取り込み口４から燃焼ファン２の駆動によって室内の空気（給気）が取り込まれ、この給気と、バーナー１に供給された燃料ガスとによってバーナー燃焼が行われ、この燃焼により生じた排気ガスは前記燃焼ファン２の駆動により排気通路５を通って外部に排出される。
【０００３】
上記燃焼機器はバーナー１の燃焼能力を可変制御することが可能な構成になっており、上記燃焼能力に対応させて燃焼ファン２の回転制御が行われる。
【０００４】
【発明が解決しようとする課題】
ところで、近年の建物は気密性が高くなってきており、建物の気密性の高さに起因して次のように室内の空気圧が低下して負圧状態になることが出願人らの実験によりわかった。
【０００５】
例えば、部屋が閉め切られている状態で、部屋に設置されている図８に示す換気扇（レンジフード）６が回転駆動している場合には、換気扇６の回転駆動によって室内の空気が外部に排出され、その外部に排出される空気量よりも室内に入り込む空気量が上記気密性の高さに起因して格段に少ないので、室内の空気圧は低下して負圧状態になる。
【０００６】
上記のように室内が負圧状態である場合には室外から排気通路５と空気の取り込み口４を順に介して室内に入り込む方向の空気の流れ（風）が生じ、この状態で、バーナー１の点火を行うために燃焼ファン２の回転駆動を行うと、上記排気通路５からの流入風によって、燃焼ファン２の回転駆動によるファン風量が、室内と室外の空気圧状態がほぼ同様である通常状態時よりも減少する。このようなファン風量の減少によりバーナー１に供給される空気量が燃焼可能な領域から外れて減少する場合があり、この場合には空気不足により点着火が達成されないという問題が生じることが出願人らの実験等により分かった。
【０００７】
本発明は上記課題を解決するためになされたものであり、その目的は、燃焼機器が設置されている室内が通常状態でも負圧状態でも点着火を達成できる燃焼機器およびその点火方法を提供することにある。
【０００８】
【課題を解決するための手段】
上記目的を達成するために、この発明は次のような構成をもって前記課題を解決する手段としている。すなわち、燃焼機器の第１の発明は、燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御する燃焼機器において、通常の標準モードによって燃焼ファンの回転制御を行うための通常時のファン風量制御データと、燃焼機器が設置されている室内が前記標準モード時よりも負圧状態時に上記通常時のファン風量制御データよりも燃焼ファンの回転数をアップさせて燃焼ファンの回転制御を行うための負圧時のファン風量制御データと、通常時のファン風量制御データが持つ燃焼可能な燃焼ファンの風量領域と上記負圧時のファン風量制御データが持つ燃焼可能な燃焼ファンの風量領域とがオーバーラップする領域に設定された点火時のファン風量制御データとを有し、点火を行うときには上記点火時のファン風量制御データに従って燃焼ファンの回転制御を行う点火時風量制御部が設けられている構成をもって前記課題を解決する手段としている。
【０００９】
燃焼機器の第２の発明は、上記燃焼機器の第１の発明の構成に加えて、室内の負圧状態を検知する負圧検知手段が設けられ、この負圧検知手段により室内の負圧状態が検知されたときには、点火時風量制御部によって点火時の燃焼ファンの回転制御が行われた後に、点火時のファン風量制御データから負圧時のファン風量制御データに転移させて燃焼ファンの回転制御を行い、それ以外のときには点火時のファン風量制御データから通常時のファン風量制御データに転移させて燃焼ファンの回転制御を行う制御データ転移制御部を設けた構成をもって前記課題を解決する手段としている。
【００１０】
燃焼機器の第３の発明は、燃焼火炎を検知するフレームロッド電極と、排気ガス中のＣＯ濃度を検出するＣＯセンサとが設けられており、上記第２の発明の構成を構成する負圧検知手段は、上記ＣＯセンサにより検出出力される排気ガス中のＣＯ濃度が予め定めた危険値以上に増加したときに室内の負圧を検知する基本機能に加えて、上記フレームロッド電極により検出出力されるフレームロッド電流値が予め定めた上側しきい値を上側に越えたときに室内の負圧を検知する機能と、上記フレームロッド電流値の上昇変化量が予め定めた負圧検知基準時間内で予め定めた上昇変化基準値を越えたときに室内の負圧を検知する機能と、フレームロッド電流値の下降変化量が上記負圧検知基準時間よりも時間幅が短い微小設定時間内で予め定めた下降変化基準値を越えたときに室内の負圧を検知する機能との１つ以上の付加機能を備えており、予め定めた設定の燃焼能力よりも低い燃焼能力で燃焼運転が行われているときには前記基本機能と付加機能の組み合わせによって室内の負圧を検知し、それ以外のときには前記基本機能によって室内の負圧を検知する構成をもって前記課題を解決する手段としている。
【００１１】
燃焼機器の第４の発明は、燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御を行う燃焼機器において、通常の標準モードによって燃焼ファンの回転制御を行うための通常時のファン風量制御データと、燃焼機器が設置されている室内が前記標準モード時よりも負圧状態時に上記通常時のファン風量制御データよりも風量をアップさせ、かつ、室内の負圧の強度が高くなるにつれファン風量をよりアップさせて負圧の強度に応じて燃焼ファンの回転制御を行うための負圧モード時の複数段のファン風量制御データとが予め与えられると共に、前記標準モード時と負圧モード時の各ファン風量制御データが持つ燃焼可能な燃焼ファンの風量領域がオーバーラップする領域に設定された点火時のファン風量制御データが複数個予め与えられており、点火を行うときには、前回の燃焼停止時に使用されていたファン風量制御データの上又は下の一方側に配置される点火時のファン風量制御データに基づいて点火動作を行い、点着火が達成されないときには前記上又は下の他方側に配置される点火時のファン風量制御データに基づいて点火動作を行う点火時風量制御部が設けられている構成をもって前記課題を解決する手段としている。
【００１２】
燃焼機器の点火方法の発明は、燃焼ファンの回転駆動により供給される空気を利用して燃焼を行い、その燃焼能力の可変制御が可能で、上記燃焼ファンの風量が燃焼能力に対応させて与えられているファン風量制御データを有し、上記燃焼能力とファン風量制御データに基づいて燃焼能力に対応する風量を燃焼ファンの回転数によって制御する燃焼機器の点火方法において、通常の標準モードによって燃焼ファンの回転制御を行うための通常時のファン風量制御データと、燃焼機器が設置されている室内が前記標準モード時よりも負圧状態時に上記通常時のファン風量制御データよりも燃焼ファンの回転数をアップさせて燃焼ファンの回転制御を行うための負圧時のファン風量制御データと、通常時のファン風量制御データが持つ燃焼可能な燃焼ファンの風量領域と上記負圧時のファン風量制御データが持つ燃焼ファンの風量領域とがオーバーラップする領域に設定された点火時のファン風量制御データとを予め与えておき、点火を行うときには上記点火時のファン風量制御データに従って燃焼ファンの回転制御を行って点着火を達成させる構成をもって前記課題を解決する手段としている。
【００１３】
上記構成の発明において、例えば、通常時のファン風量制御データと、負圧時のファン風量制御データと、点火時のファン風量制御データとが予め与えられており、点火を行うときには点火時風量制御部が上記点火時のファン風量制御データに従って燃焼ファンの回転制御を行う。その後、制御データ転移制御部は、負圧検知手段により室内の負圧が検知されている場合には、点火時のファン風量制御データから負圧時のファン風量制御データに転移させて燃焼ファンの回転制御を行い、それ以外のときには、点火時のファン風量制御データから負圧時のファン風量制御データに転移させて燃焼ファンの回転制御を行う。
【００１４】
上記点火時のファン風量制御データは、通常時のファン風量制御データが持つ燃焼可能な燃焼ファンの風量領域と、負圧時のファン風量制御データが持つ燃焼可能な燃焼ファンの風量領域とがオーバーラップする領域に設定されていることから、燃焼機器が設置されている室内が通常の標準モード時の状態であっても標準モード時よりも負圧状態であっても、上記点火時のファン風量制御データに従って燃焼ファンの回転制御を行うことによって、点着火を確実に達成させることが可能である。
【００１５】
【発明の実施の形態】
以下に、この発明に係る実施形態例を図面に基づき説明する。
【００１６】
第１の実施形態例の燃焼機器である給湯器は室内設置可能型のもので、図７に示すようなシステム構成を有している。
【００１７】
図７に示すように、この給湯器（器具）は器具ケース３を有し、該器具ケース３に空気の取り込み口４が設けられ、また、器具ケース３内に燃焼室７が設けられ、該燃焼室７にはバーナー１（例えば、一次空気と二次空気を利用して燃焼を行う方式の例えばセミブンゼンバーナー）が配設されている。このバーナー１の上方には給湯熱交換器８が配設され、さらにバーナー１の上方の燃焼室７には燃焼ファン２が組み込まれた排気通路５が連通されている。燃焼室７の下方には燃焼室７内に空気を取り込むための給気孔１０が形成されている。
【００１８】
上記バーナー１のガス供給口にはガスノズル１１が対向配設されており、このガスノズル１１にはガス供給通路１２が接続されている。このガス供給通路１２には通路の開閉を行うガス電磁弁１３と元ガス電磁弁１４が介設されると共に、開弁量によって燃料ガス供給量を可変制御する比例弁１５が設けられている。この比例弁１５の開弁量は比例弁１５に供給される比例弁駆動電流量に応じて可変するものであり、上記比例弁駆動電流量の可変制御により比例弁１５の開弁量可変制御が行われる。
【００１９】
前記給湯熱交換器８の入側には給水通路１６の一端側が連接され、給湯熱交換器８の出側には給湯通路１８の一端側が連接されており、上記給水通路１６の他端側は外部配管を通して水供給源に連通され、上記給湯通路１８の他端側は外部配管を通して台所やシャワー等の所定の給湯場所に導かれている。また、上記給湯熱交換器８の入側の給水通路１６と出側の給湯通路１８を短絡するバイパス通路２０が設けられている。
【００２０】
なお、図中に示す２１は排気ガス中のＣＯ濃度を検出するＣＯセンサを示し、２２はバーナー１の点火を行う点火プラグを示し、２５は給湯通路１８の湯水の流量を可変制御する水量制御弁を示し、２６は出湯湯温を検出するための出湯サーミスタを示し、２７は給水通路１６の通水を検知する水量センサを示し、２８は給水通路１６の入水温を検知する入水サーミスタを示している。
【００２１】
また、２４はバーナー燃焼火炎を検知するフレームロッド電極を示し、このフレームロッド電極２４は、図４の（ａ）に示すように、互いに対向する電極２４ａ，２４ｂを有して構成され、バーナー燃焼が行われているときに上記電極２４ａ，２４ｂが燃焼火炎の内部に入り込むことが可能な高さ位置に配設されており、電極２４ａ，２４ｂが燃焼火炎の内部に位置しているときには、電極２４ａ，２４ｂ間に印加された電圧によって電極２４ａ，２４ｂ間に燃焼火炎を通して電流が通電し、フレームロッド電極２４からフレームロッド電流値が検出出力される。
【００２２】
この給湯器には該給湯器の運転動作を制御する制御装置３０が設けられている。この制御装置３０には器具ケース３に設置される本体操作部３１が接続されると共に、給湯器で作り出された湯の出湯使用場所（例えば、台所や浴室）等に設置されたリモコン３２が接続されている。上記リモコン３２には給湯温度を設定するための給湯温度設定手段等が設けられている。
【００２３】
上記制御装置３０により器具運転が次のように制御される。例えば、台所やシャワー等の給湯栓（図示せず）が開けられると、給水通路１６と給湯熱交換器８と給湯通路１８の湯水が流れ始め、給水通路１６の通水を水量センサ２７が検知すると、燃焼ファン２を駆動させて空気の取り込み口４から給気孔１０を介してバーナー１に空気を供給し、点火プラグ２２を作動させ、元ガス電磁弁１４とガス電磁弁１３を開弁してバーナー１へ燃焼ガスを供給しバーナー１の点火動作を行う。
【００２４】
そして、リモコン３２に設定されている給湯設定温度と、入水サーミスタ２８により検出出力される入水温度と、出湯サーミスタ２６により検出出力される出湯温度と、給湯熱交換器８を流れる湯水の流量とバイパス通路２０を流れる湯水の流量の比とに基づいて、上記給湯設定温度の湯を出湯させるための燃焼能力を求め、この求めた燃焼能力となるようにバーナー１への燃料ガスの供給量を比例弁１５の開弁量により制御する。
【００２５】
また、燃焼ファン２の回転駆動によるファン風量の制御のデータが燃焼能力に対応させてファン風量制御データで与えられており、上記燃焼能力に対応したファン風量を上記ファン風量制御データから読み出し、この読み出したファン風量に基づいて燃焼ファン２の回転制御を燃焼ファン２の回転数制御により行ってバーナー１へ空気を供給し、この供給された空気と上記供給燃料ガスとをマッチングさせてバーナー１に燃焼を行わせ、このバーナー１の燃焼火炎によって給湯熱交換器８の通水を加熱して湯を作り出し、この作り出された湯を給湯通路１８を通し、途中、バイパス通路２０の水を加えて、所望の出湯場所に出湯する。
【００２６】
湯の使用が終了して前記給湯栓が閉められ水量センサ２７が通水停止を検知すると、元ガス電磁弁１４を閉弁し、バーナー１の燃焼を停止する。その後、予め定められたポストパージ期間（例えば、５分間）、燃焼ファン２の継続駆動を行って次の出湯に備える。
【００２７】
この実施形態例に示す給湯器のシステムは以上のように構成されており、この給湯器は台所や洗面所等の室内に設置することが可能である。この実施形態例では、器具運転の制御構成に特徴があり、給湯器が設置されている室内が通常の標準モードの状態でも該標準モード時よりも負圧状態の負圧モードの状態でも良好な燃焼を行わせることができる上に、点火時に標準モードの状態からも負圧モードの状態からも点着火を達成させることが可能な点火動作制御構成が設けられている。以下に、その特徴的な制御構成を説明する。
【００２８】
図１には第１の実施形態例において特徴的な制御構成が示されている。この給湯器の制御装置３０は、図１に示されるように、燃焼制御部３５とデータ格納部３６と点火時風量制御部３８と制御データ転移制御部４０と負圧検知手段４１と制御データ切り換え制御部４４を有して構成されている。
【００２９】
上記燃焼制御部３５には器具運転を行うためのシーケンスプログラムが予め与えられており、燃焼制御部３５は、リモコン３２の情報や、各種のセンサのセンサ出力情報を取り込んで、それら取り込んだ情報に基づいて前述したように器具運転の制御を行う。
【００３０】
負圧検知手段４１は、ＣＯセンサ２１から検出出力される排気ガス中のＣＯ濃度や、フレームロッド電極２４から検出出力されるフレームロッド電流値に基づき、給湯器が設置されている室内の負圧状態を検知するもので、以下の１つ以上の機能を備えている。
【００３１】
基本機能は、室内の負圧状態に起因して燃焼状態が空気不足により悪化すると排気ガス中のＣＯ濃度が増加することに着目し、ＣＯセンサ２１で検出されるＣＯ濃度を検出し、該ＣＯ濃度が予め定めた危険値（例えば、２０００ｐｐｍ）以上に増加したときには室内が負圧状態であると検知し、ＣＯ濃度が予め定めた下限値以下に減少したときには室内の負圧が緩和解除されたと検知する機能である。
【００３２】
なお、上記ＣＯ濃度の危険値は、ＣＯセンサ２１で検出されるＣＯ濃度の雰囲気中に人が晒されたときに、ＣＯ危険濃度に達する時間を危険値として与えてもよく、又は、高ＣＯ濃度のしきい値で与えてもよく、又は、ＣＯセンサ２１で検出されるＣＯ濃度の雰囲気中に人が晒されたと仮定したときの血中ヘモグロビンのＣＯ濃度を求め、単位時間ｔ毎に算出されるその血中ヘモグロビンＣＯ濃度の危険到達時間Ｔに対する前記単位時間ｔとの比ｔ／Ｔの積算値の危険値で与えてもよいものである。
【００３３】
負圧検知手段４１による負圧検知の第１の付加機能は、フレームロッド電極２４から出力されるフレームロッド電流を検出し、このフレームロッド電流により室内の負圧発生を検知する機能である。すなわち、図３に示すように、データ格納部３６に燃焼能力とフレームロッド電流の関係データをしきい値として与えておき、この関係データに基づき室内の負圧の程度を検知する機能である。
【００３４】
図３に示す関係データは、フレームロッド電流の低位側に下側しきい値を与え、上位側に上側しきい値を与えている。この図３の例では、下側しきい値を下側固定しきい値と下側可変しきい値で与え、上側しきい値を上側可変しきい値と上側固定しきい値で与えている。これら上側と下側の固定しきい値は燃焼能力によって値が変動しない一定の値で与えるものであり、上側と下側の可変しきい値は燃焼能力が大きくなるにつれ、増加する方向に可変させた値で与えてあるが、これら下側しきい値は下側固定しきい値で与えてもよく下側可変しきい値で与えてもよく、あるいは燃焼能力の区分に応じ、下側固定しきい値と下側可変しきい値を使い分けるようにしてもよいものである。同様に、上側しきい値も、上側固定しきい値で与えてもよく、上側可変しきい値で与えてもよく、燃焼能力の区分に応じ上側固定しきい値と上側可変しきい値を使い分けてもよいものである。
【００３５】
負圧検知手段４１は、この第１の付加機能の動作に際し、フレームロッド電極２４からフレームロッド電流を取り込み、フレームロッド電流が上側しきい値を越えたときに、室内が負圧状況になったものと検知し、フレームロッド電流が下側しきい値を下回ったとき（下側に越えたとき）は室内の負圧が解除方向に変化したものと検知するものである。
【００３６】
本発明者は、室内の負圧の程度と、フレームロッド電流の関係を実験により検証しており、室内が負圧化されると、給気の不足により、良好な燃焼状態の図４の（ａ）に示す燃焼火炎に対して、燃焼火炎は図４の（ｂ）に示すように上方に伸び、燃焼火炎の内炎４６の電気抵抗率は外炎４５よりも低いことからフレームロッド電流の大きさが大きくなり、室内の負圧が解除されると、給気の不足状態が解消されることで、火炎は元の状態に縮み、フレームロッド電流が減少する現象が生じることを突き止めており、この第１の付加機能では、このことを利用し、前記の如く、フレームロッド電流が上側しきい値を越えたときには室内の負圧が発生し、フレームロッド電流が下側しきい値を下側に越えたときには負圧解除あるいは負圧の程度が低下したものと検知するものである。
【００３７】
室内の負圧検知における第２の付加機能は、フレームロッド電流の変化量によって室内の負圧状況と負圧解除状況を検出する機能である。図９の（ａ）はフレームロッド電流の上昇変化量によって室内の負圧発生状況を検出するもので、データ格納部３６に上昇変化基準値Ｆth1（例えば1.1 μＡ）とその上昇変化基準 値に対して与えられる負圧検知基準時間Ｔth1（例えば0.6 秒）のデータが与え られており、負圧検知手段４１は、フレームロッド電流の上昇変化量が負圧検知基準時間Ｔth1の時間内で、上昇変化基準値Ｆth1を越えたときには、例えば、燃焼運転中にレンジフードや換気扇が起動される等して室内が負圧化されたものと検知する。
【００３８】
図９の（ｂ）は、フレームロッド電流の下降変化量に基づいて室内の負圧解除を検出する機能であり、データ格納部３６にはフレームロッド電流の下降変化基準値Ｆth2とこの下降変化基準値に対して与えられる基準時間Ｔth2とが与えられ、負圧検知手段４１は、フレームロッド電流の下降変化量が前記基準時間Ｔth2 の時間内で、下降変化基準値Ｆth2を越えたときには、室内の負圧状況は解除（ 又は負圧減少方向に変化）したものと検知する。
【００３９】
負圧検知における第３の付加機能は、図１１に示すようなフレームロッド電流の急激減少変化量によって室内の急激な負圧変化を検出するものである。この機能では、データ格納部３６にフレームロッド電流の下降変化基準値Ｆth0（例え ば0.7 μＡ）のデータと前記図９の（ｂ）に示される基準時間Ｔth2よりも時間 幅が狭い微小設定時間ΔＴth（例えば0.1 秒）のデータが与えられており、負圧検知手段４１はフレームロッド電流が微小設定時間ΔＴthの時間内で下降変化基準値Ｆth0を越えて下降したときには、例えば室内の戸が開けられている状態で レンジフードが起動状態で燃焼運転がされているときに、戸が急に閉められて室内が急激に負圧化して燃焼火炎が立ち消え寸前となって（火炎が極めて小さくなって）フレームロッド電流が急激に下降変化したものと検知する。
【００４０】
負圧検知手段４１には上記基本機能に加えて、上記第１と第２と第３の付加機能のうちの１つ以上の付加機能が備えられており、負圧検知手段４１は燃焼制御部３５から燃焼能力の情報を取り込み、予め定めた設定の燃焼能力（例えば、燃焼能力３０％）よりも低い燃焼能力で燃焼運転が行われているときには、上記基本機能と付加機能を組み合わせて室内の負圧検知を行い、それ以外のときには基本機能によって室内の負圧検知を行う。
【００４１】
すなわち、燃焼能力が低い領域では、室内の負圧発生に起因して燃焼が悪化して放出されるＣＯをＣＯセンサ２１で補集して燃焼悪化を検知していると、ＣＯが発生してからＣＯセンサ２１で検出されるまでに時間が掛かる。この点、フレームロッド電流は燃焼悪化に瞬時に反応し、フレームロッド電流の変化によって燃焼悪化を迅速に検出することができる。
【００４２】
一方、フレームロッド電極には燃焼悪化を感度良く検出できる取り付け位置と燃焼能力との関係に基づいた範囲があり、燃焼能力がその範囲から外れると、燃焼悪化の検出感度が低下するが、高燃焼能力範囲（例えば、図３に示す燃焼能力Ｘ〜１００％の範囲）においては、ＣＯセンサによって燃焼悪化を良好に検出することができるので、低燃焼能力範囲（例えば、図３に示す燃焼能力０〜Ｘ％の範囲）におけるフレームロッド電流に基づく負圧検出と、高燃焼能力範囲におけるＣＯセンサによるＣＯ濃度検出に基づく負圧検出とを併用することにより、燃焼能力の全範囲において室内の燃焼環境の負圧状況を精度良く検出できることが可能となるものである。
【００４３】
データ格納部３６には図２の実線に示す通常時のファン風量制御データＲと、負圧時のファン風量制御データＴとが格納されている。上記各ファン風量制御データＲ，Ｔは燃焼ファン２の風量が燃焼能力（この実施形態例では予め定めた最小燃焼能力から最大燃焼能力までの燃焼能力）に対応させて与えられているデータであり、上記負圧時のファン風量制御データＴは、上記負圧検知手段４１により室内の負圧が検知されたときに良好な燃焼を行わせるための負圧モードによって燃焼ファン２の回転制御を行うためのデータであり、通常時のファン風量制御データＲは、上記負圧モード時以外の標準モード時に良好な燃焼を行うために燃焼ファン２の回転制御を行うためのデータであり、上記各ファン風量制御データＲ，Ｔは予め実験や演算等により求められる。燃焼能力に対する風量は通常時のファン風量制御データＲよりも負圧時のファン風量制御データＴがアップしている。
【００４４】
なお、この実施形態例では、予め定めた最小燃焼能力を０％とし、燃焼能力が増加していくに従って％値が増加して最大燃焼能力が１００％となるように燃焼能力を％値に置き換えて表している。
【００４５】
制御データ切り換え制御部４４は前記燃焼制御部３５の動作情報を取り込み、燃焼制御部３５により燃焼ファン２の駆動指令が発せられていると検知しているときに、上記負圧検知手段４１の検知情報を取り込んで室内の負圧状態が検知されたときには、前記燃焼制御部３５の燃焼能力情報と上記負圧時のファン風量制御データＴに従って負圧モードで燃焼ファン２の回転制御を行い、それ以外の標準モード時には前記燃焼制御部３５の燃焼能力情報と上記通常時のファン風量制御データＲに従って標準モードで燃焼ファン２の回転制御を行う。
【００４６】
上記のように、負圧検知手段４１により室内の負圧状態が検知されたときに、負圧時のファン風量制御データＴに基づいて燃焼ファン２の回転制御を行うことによって、通常時のファン風量制御データに従って燃焼ファン２の回転制御を行うよりもファン風量が増加するので、室内の負圧状態に起因してバーナー１への供給空気量が良好な燃焼を行うための空気量よりも減少するのを抑制することができ、室内の負圧状態に起因して燃焼状態が空気不足により悪化するのを回避することが可能である。
【００４７】
ところで、バーナー１の点火を行うときに前回の燃焼停止時に使用していたファン風量制御データに基づいて燃焼ファン２の回転制御を行うことが考えられる。しかしながら、燃焼を停止している間に、室内が標準モードの状態から負圧モードの状態に移行したり、反対に、負圧モードの状態から標準モードの状態に移行する場合があり、例えば、燃焼停止中に標準モードの状態から負圧モードの状態に移行した場合には、点火時に、室内が負圧モードの状態であるにも拘らず、通常時のファン風量制御データＲに基づいて燃焼ファン２の回転制御が行われるので、ファン風量が燃焼可能なファン風量よりも少なくなってしまい、空気不足により点着火を達成することができない虞がある。
【００４８】
また、反対に、燃焼停止中に、負圧モードの状態から標準モードの状態に移行した場合には、点火時に、室内が標準モードの状態であるにも拘らず、負圧時のファン風量制御データＴに基づいて燃焼ファン２の回転制御が行われるので、ファン風量が燃焼可能なファン風量よりも多くなってしまい燃焼火炎を吹き消して点着火を達成することができない虞がある。
【００４９】
そこで、この実施形態例では、室内が標準モードの状態でも負圧モードの状態でも点着火を確実に達成させることが可能な構成にした。データ格納部３６には点火時のファン風量制御データＶが格納されている。この点火時のファン風量制御データＶは、通常時のファン風量制御データＲが持つ燃焼可能な図２に示す燃焼ファンの風量領域Ｘｒ（つまり、標準モードの状態で燃焼が可能なファン風量領域）と、負圧時のファン風量制御データＴが持つ燃焼可能な図２に示す燃焼ファンの風量領域Ｘｔ（つまり、負圧モードの状態で燃焼が可能なファン風量領域）とがオーバーラップする領域Ｘｖに設定されている。
【００５０】
点火時風量制御部３８は前記燃焼制御部３５の動作情報を取り込み、該情報に基づき点火時の燃焼ファン２の回転制御開始の指令が発せられたと検知したときに、上記点火時のファン風量制御データＶに基づいて燃焼ファン２の回転制御を行う。
【００５１】
制御データ転移制御部４０はタイマ（図示せず）を内蔵しており、点火時風量制御部３８の動作情報と負圧検知手段４１の検知情報とフレームロッド電極２４から検出出力されるフレームロッド電流値とを取り込み、点火時風量制御部３８により点火時の燃焼ファン２の回転制御が行われフレームロッド電流値によって燃焼火炎を検知してから予め定めた余裕時間が経過するまで継続してフレームロッド電流値により燃焼火炎を検知することができたときには、点着火が達成されたと判断する。
【００５２】
そして、制御データ転移制御部４０は、上記の如く、点着火の達成を確認した後に、上記負圧検知手段４１の情報に基づき室内の負圧状態が検知されているときには、点火時のファン風量制御データＶから負圧時のファン風量制御データＴに転移させて標準モードで燃焼ファン２の回転制御を行い、それ以外のときには、点火時のファン風量制御データＶから通常時のファン風量制御データＲに転移させて標準モードで燃焼ファン２の回転制御を行う。
【００５３】
その後、制御データ切り換え制御部４４は、上記制御データ転移制御部４０の動作情報により、点着火が達成され制御データ転移制御部４０によりファン風量制御データの転移が成されたことを検知した後に予め定めた期間が経過した後に、前記制御データ切り換え動作を行う。
【００５４】
この実施形態例によれば、通常時のファン風量制御データＲに加えて、負圧時のファン風量制御データＴが与えられ、給湯器が設置されている室内の空気圧の状態（燃焼環境）が室外の空気圧とほぼ同様である標準モードの場合には、上記通常時のファン風量制御データＲに基づいて燃焼ファン２の回転制御を行い、標準モード時よりも負圧状態である負圧モードの場合には、上記負圧時のファン風量制御データＴに基づいて燃焼ファン２の回転制御を行うので、燃焼環境が負圧モードの状態であるときには、負圧時のファン風量制御データＴに基づいて燃焼ファン２の回転制御を行うことによって、通常時のファン風量制御データＲに従って燃焼ファン２の回転制御を行うよりもファン風量が増加し、良好な燃焼を行うためのファン風量を得ることができ、室内の負圧状態に起因した空気不足による燃焼状態の悪化を回避することができる。
【００５５】
また、上記通常時のファン風量制御データＲと、負圧時のファン風量制御データＴとが与えられると共に、点火時のファン風量制御データＶとが与えられ、点火を行うときには点火時のファン風量制御データＶに従って燃焼ファン２の回転制御を行う点火時風量制御部３８が設けられており、上記点火時のファン風量制御データＶは、上記通常時のファン風量制御データＲが持つ燃焼可能な風量領域Ｘｒと、負圧時のファン風量制御データＴが持つ燃焼可能な風量領域Ｘｔとがオーバーラップする領域Ｘｖに設定されているので、給湯器が設置されている部屋が標準モードの状態でも、負圧モードの状態でも、上記点火時のファン風量制御データＶに従って点火時の燃焼ファン２の回転制御を行うことによって、ほぼ確実に点着火を達成させることが可能となる。
【００５６】
さらに、制御データ転移制御部４０が設けられているので、上記点火時風量制御部３８によって点火時の燃焼ファン２の回転制御が行われた後に、負圧検知手段４１により室内の負圧状態が検知されているときには、制御データ転移制御部４０によって、点火時のファン風量制御データＶから負圧時のファン風量制御データＴに転移させて燃焼ファン２の回転制御を行い、それ以外のときには通常時のファン風量制御データＲに転移させて燃焼ファン２の回転制御を行うことになることから、燃焼環境に応じてより良好な燃焼を行うことができる適宜のファン風量制御データに転移させて燃焼ファン２の回転制御を行うことができ、より良好な燃焼を行うことができる。
【００５７】
以下に、第２の実施形態例を説明する。この実施形態例は、前記図７に示すようなシステム構成を有し、燃焼能力に対するファン風量が互いに異なる複数段のファン風量制御データが予め与えられる給湯器に適用するものであり、点火動作の制御構成に特徴がある。なお、前記図７のシステム構成の説明は前述したので省略する。
【００５８】
第２の実施形態例に示す制御装置３０は、図５に示すように、燃焼制御部３５とデータ格納部３６と点火時風量制御部３８と制御データ転移制御部４０と負圧検知手段４１と制御データ監視部４２と燃焼状態監視部４３と制御データ切り換え制御部４４を有して構成されている。なお、第２の実施形態例の説明において、上記燃焼制御部３５と負圧検知手段４１の構成は前記第１の実施形態例と同様であるので、その重複説明は省略する。
【００５９】
記憶装置であるデータ格納部３６には燃焼能力に対するファン風量が互いに異なる図６の実線に示す複数段のファン風量制御データＲ，Ｓ，Ｔ，Ｕが予め格納されていると共に、図６の鎖線に示す点火時のファン風量制御データＶ，Ｗ，Ｙが格納されている。
【００６０】
前記各ファン風量制御データＲ，Ｓ，Ｔ，Ｕが持つ燃焼可能なファン風量領域が予め実験や演算等により求められ、上記各点火時のファン風量制御データＶ，Ｗ，Ｙが次のように設定される。上記点火時のファン風量制御データＹは上記ファン風量制御データＲが持つ燃焼可能なファン風量領域とファン風量制御データＳが持つ燃焼可能なファン風量領域とがオーバーラップする領域に設定され、点火時のファン風量制御データＶは上記ファン風量制御データＳが持つ燃焼可能なファン風量領域とファン風量制御データＴが持つ燃焼可能なファン風量領域とがオーバーラップする領域に設定され、点火時のファン風量制御データＷは上記ファン風量制御データＴが持つ燃焼な可能なファン風量領域とファン風量制御データＵが持つ燃焼可能なファン風量領域とがオーバーラップする領域に設定されている。
【００６１】
この実施形態例では、図６に示すファン回転制御データＳ，Ｔ，Ｕから分かるように、ファン風量制御データを切り換えると、最小燃焼能力時にはファン風量が大きく変化するのに対して、最大燃焼能力時にはファン風量は殆ど変化しないようにしてある。これは、一般的に行われている空燃比を一定にして燃焼させるものとは異なり、本発明者等が独自に見出したものである。
【００６２】
つまり、本来バーナーは最大燃焼能力で燃やすことができるバーナーを用い、燃料を少なくしても消えないように風量制御を行っているものである。言い換えると、低燃焼能力であるほど、風量制御を正確に行わないと、燃焼火炎が消えてしまうことを意味する。
【００６３】
したがって、空燃比を一定にした相関関係では上記各ファン風量制御データは平行となるが、この実施形態例では、燃焼能力が低くなるに従って上記各ファン風量制御データＳ，Ｔ，Ｕの間隔は広がり、燃焼能力が高くなるに従って上記各ファン風量制御データＳ，Ｔ，Ｕの間隔は狭くなるように設定している。なお、図６に示す各ファン風量制御データＳ，Ｔ，Ｕは最大燃焼能力で一点に集まっているが、最大燃焼能力で一点に集まる必要はなく、高燃焼能力領域で各ファン風量制御データが交差するように設定してもよい。
【００６４】
また、ファン風量制御データは、図６に示されるような形態で与える他に、図１０に示すように、図６のファン風量制御データＲに相当するＸ＝０のファン風量制御データに対し、Ｘ＝２，Ｘ＝４のファン風量制御データのように平行な制御ラインの形態で与えるようにしてもよいものである。
【００６５】
制御データ切り換え制御部４４は、負圧検知手段４１により検出される室内燃焼環境の負圧状況に応じてファン回転制御データを切り換え制御するものである。
【００６６】
上記制御データ切り換え制御部４４の動作例を図１２のフローチャートに基づいて説明すると、まず、ステップ１０１で、負圧検知手段４１により室内の負圧
発生が検知されたか否かが判断され、室内の負圧が検知されたときにはステップ１０２でファン風量制御データが１段階高められる。このフローチャートにおいては、図６に示すファン風量制御データを例にして説明してあり、フローチャート中のＸの数字は図６に示す各ファン風量制御データのＸの値に対応している。
【００６７】
一方、前記ステップ101で、室内の負圧発生が検知されなかったときには、ス テップ103で室内の負圧が緩和解除されたか否かが判断され、室内の負圧緩和解 除が検知されたときにはファン風量制御データを１段階風量ダウン側に切り換える。このとき、ステップ105 でファン風量制御データがＸ＝０のデータになるか否かを判断し、Ｘ＝０のファン風量制御データになるときには、ファン風量制御データをＸ＝０のデータよりもファン風量が１段階上側のＸ＝１のデータに設定する。
【００６８】
ステップ107 では前記ステップ102 でファン風量制御データが１段階風量アップ側に切り換えられることでＸ＝５の値に達したか否かを判断し、Ｘ＝５の値に達したときにはファン風量をアップさせても高濃度のＣＯガスの発生の防止が期待できないので、ステップ108 で燃焼停止を行う。
【００６９】
前記ステップ107 でＸが５に達しないときには前記ステップ102 で風量を１段階アップさせたファン風量制御データに基づき、燃焼能力に応じたファン回転数でもって燃焼ファンを回転させ、ステップ110 で室内の負圧強度としてＸの値を登録する。ステップ111 では水量センサ２７からオン信号が加えられているかを判断し、オン信号が加えられているときにはステップ101 以降の動作を繰り返す。これに対し、水量センサ２７からオフ信号が出力されたときには、給湯栓が閉じられたものと判断して燃焼停止を行い、次の燃焼に備える。
【００７０】
上記制御データ切り換え制御部４４は、負圧検知手段４１により室内の負圧発生が検知されると、室内の負圧の強度に応じたファン風量制御データを選択指定し、室内の負圧化に伴う給気不足を解消し、良好な燃焼運転を行うものである。
【００７１】
なお、上記動作例では、ファン風量制御データを順次風量アップ側に上げるときには、Ｘ＝０，Ｘ＝１，Ｘ＝２，Ｘ＝３，Ｘ＝４という如くＸが１ずつ順に上げるようにし、ファン風量制御データを風量ダウン側に下げるときにはＸ＝４，Ｘ＝３，Ｘ＝２，Ｘ＝１という如くＸが１ずつ順次下げるようにしたが、これらファン風量制御データの上昇と下降の順序は必ずしもこれに限定されることはなく、例えば、ファン風量制御データを上げるときには、Ｘ＝０，Ｘ＝２，Ｘ＝３，Ｘ＝４という如く手順で上げるようにしてもよい。
【００７２】
制御データ監視部４２は燃焼制御部３５の動作情報を取り込み、該情報に基づき給湯器が燃焼運転を行っていると検知している間、制御データ切り換え制御部４４が使用しているファン風量制御データの情報を時々刻々と取り込んで内蔵のメモリ（図示せず）に時間に対応させて格納する。
【００７３】
点火時風量制御部３８は燃焼制御部３５の動作情報を取り込み、該情報に基づいて点火の指令が発せられたことを検知すると、前記制御データ監視部４２の内蔵のメモリから前回の燃焼停止時に使用されていたファン風量制御データの情報を読み出す。そして、前回の燃焼停止時に使用していたファン風量制御データがファン風量制御データＵである場合には、点火時風量制御部３８はファン風量制御データＵの下側のファン風量制御データＷをデータ格納部３６から読み出し、上記点火時のファン風量制御データＷに基づいて点火時の燃焼ファン２の回転制御を行う。
【００７４】
また、前回の燃焼停止時に使用していたファン風量制御データがファン風量制御データＲである場合には、点火時風量制御部３８はファン風量制御データＲの上側のファン風量制御データＹをデータ格納部３６から読み出し、この点火時のファン風量制御データＹに基づいて点火時の燃焼ファン２の回転制御を行う。
【００７５】
さらに、前回の燃焼停止時に使用していたファン風量制御データがファン風量制御データＳ又はＴである場合には、点火時風量制御部３８はファン風量制御データＳ，Ｔの上下のうちの一方側のファン風量制御データをデータ格納部３６から読み出し、この読み出された点火時のファン風量制御データに基づいて点火時の燃焼ファン２の回転制御を行う。そして、点火時風量制御部３８は、フレームロッド電極２４から検出出力されるフレームロッド電流に基づいて点着火が達成されなかったことを検知したときには他方側の点火時のファン風量制御データに基づいて燃焼ファン２の回転制御を行う。
【００７６】
燃焼状態監視部４３は燃焼制御部３５の動作情報を取り込み、該情報に基づき燃焼運転が行われていると検知している間、燃焼状態を監視する。燃焼状態の監視手段として様々な手段が考えられる。
【００７７】
例えば、燃焼制御部３５から燃焼能力の情報を取り込むと共に、フレームロッド電極２４からフレームロッド電流値を検出してフレームロッド電流値を検出したときの燃焼能力に対応させ、このフレームロッド電流値の燃焼能力に対応する図１３に示すような標準値データに上記検出したフレームロッド電流値を比較する。そして、燃焼状態監視部４３は上記フレームロッド電流値が上記標準値よりも予め定めた上側の許容範囲を越えて上昇しているときには、燃焼状態は空気不足により悪化していると検知し、上記フレームロッド電流値が上記標準値よりも予め定めた下側の許容範囲を越えて低下しているときには、燃焼状態は空気過多により悪化していると検知する。なお、上記以外の手段によって燃焼状態を監視してもよい。
【００７８】
制御データ転移制御部４０は、上記燃焼状態監視部４３の監視情報を取り込み、前記第１の実施形態例と同様にして点着火の達成を検知した後に、上記燃焼状態監視部４３の情報に基づき燃焼状態が空気過多であると検知しているときには、点火時に使用された点火時のファン風量制御データよりも下側のファン風量制御データに転移させて燃焼ファン２の回転制御を行い、それ以外のときには点火時のファン風量制御データよりも上側のファン風量制御データに転移させて燃焼ファン２の回転制御を行う。又は、制御データ転移制御部４０は燃焼状態監視部４３の情報により燃焼状態が空気不足であると検知しているときには点火時に使用された点火時のファン風量制御データよりも上側のファン風量制御データに転移させて燃焼ファン２の回転制御を行い、それ以外のときには点火時のファン風量制御データよりも下側のファン風量制御データに転移させて燃焼ファン２の回転を行う。
【００７９】
その後、制御データ切り換え制御部４４は、上記制御データ転移制御部４０の動作情報により、点着火が達成され制御データ転移制御部４０によりファン風量制御データの転移が成されたことを検知した後に予め定めた期間が経過した後に、前記制御データ切り換え動作を行う。
【００８０】
この実施形態例によれば、複数段のファン風量制御データが与えられると共に、各ファン風量制御データが持つ燃焼可能なファン風量領域がオーバーラップする領域に設定された点火時のファン風量制御データが与えられ、点火時には前回の燃焼停止時に使用していたファン風量制御データの上又は下側の点火時のファン風量制御データに基づいて点火動作を行うので、燃焼運転が再開されるときの燃焼環境が前回の燃焼運転停止時の燃焼環境とほぼ同様であるときにはもちろんのこと、燃焼環境が変化していても、点火時に使用される点火時のファン風量制御データは、前回の燃焼停止時に使用していたファン風量制御データが持つ燃焼可能なファン風量領域と上記前回のファン風量制御データよりも上側又は下側のファン風量制御データが持つ燃焼可能なファン風量領域とがオーバーラップする領域に設定されていることから、点着火をほぼ確実に達成させることができる。
【００８１】
なお、この発明は上記各実施形態例に限定されるものではなく、様々な実施の形態を採り得る。例えば、上記各実施形態例では、点火時のファン風量制御データは点火時のみに用いられる点火時専用のファン風量制御データであったが、点火時以外のときにも燃焼ファン２の回転制御に用いてもよい。
【００８２】
さらに、上記各実施形態例では、点火時風量制御部３８による点火時の燃焼ファン２の回転制御が行われた後に、制御データ転移制御部４０により点火時のファン風量制御データからその上側又は下側のファン風量制御データに転移させて燃焼ファン２の回転制御を行ったが、点火時風量制御部３８による点火時の燃焼ファン２の回転制御が行われた後にも引き続き点火時のファン風量制御データに基づいた燃焼ファン２の回転制御を継続して行ってもよい。この場合には点火時直後に点火時のファン風量制御データから上側又は下側のファン風量制御データに転移させないで前記制御データ切り換え制御部４４による燃焼ファン２の回転制御に移行するので、制御データ転移制御部４０を省略することができる。
【００８３】
さらに、上記各実施形態例では、各ファン風量制御データはグラフデータによりデータ格納部３６に格納されていたが、各ファン風量制御データは表データや演算式データ等のグラフデータ以外のデータ形式でデータ格納部３６に格納してもよい。
【００８４】
さらに、上記第２の実施形態例では、制御データ転移制御部４０は、燃焼状態監視部４３の監視情報に基づいて点火時のファン風量制御データから転移させる相手側のファン風量制御データを決定してファン風量制御データの転移を行っていたが、点火時のファン風量制御データから転移させる相手側のファン風量制御データを点火時のファン風量制御データ毎に予め与えておき、制御データ転移制御部４０は点火後に点火時のファン風量制御データから予め指定されたファン風量制御データに転移させて燃焼ファン２の回転制御を行うようにしてもよい。この場合には、各点火時のファン風量制御データから転移させる相手側のファン風量制御データを決定するために燃焼状態を監視する必要ないので、燃焼状態監視部４３を省略することができ、制御構成の簡略を図ることが可能である。
【００８５】
また、本実施形態例ではバーナ１を一次空気と二次空気を利用して燃焼するタイプのセミブンゼン等のバーナで構成したが、全一次空気燃焼式タイプのバーナのうち濃淡バーナにあっては濃バーナが淡バーナの空気をもらって燃焼するので濃バーナの燃焼がセミブンゼンバーナの燃焼形態に近似したものとなり、セミブンゼンバーナと同様に濃淡バーナにおいても室内燃焼環境の負圧の程度に応じてフレームロッド電流を上限と下限の比較的広い幅内で変化させることができるので、上記実施形態例に示した燃焼改善動作は濃淡バーナを備えた燃焼機器にも適用することができる。
【００８６】
さらに、上記各実施形態例は図７に示すシステム構成の給湯器を例にして説明したが、燃焼ファン２の回転駆動により供給される空気を利用して燃焼を行い、燃焼能力の可変制御が可能で、燃焼能力と予め与えられるファン風量制御データとに基づいて燃焼ファンの回転制御が行われる燃焼機器であれば、この発明は適用することができ、石油ファンヒーターや風呂装置等の給湯器以外の燃焼機器にも適用することができる。
【００８７】
【発明の効果】
この発明によれば、通常時のファン風量制御データと負圧時のファン風量制御データに加えて、点火時のファン風量制御データが与えられ、点火を行うときには上記点火時のファン風量制御データに従って燃焼ファンの回転制御を行う点火時風量制御部を設けた燃焼機器、又は、通常時のファン風量制御データと負圧時のファン風量制御データに加えて、点火時のファン風量制御データが与えられ、点火を行うときには上記点火時のファン風量制御データに従って燃焼ファンの回転制御を行う燃焼機器の点火方法にあっては、上記点火時のファン風量制御データが通常時のファン風量制御データが持つ燃焼可能な燃焼ファンの風量領域と負圧時のファン風量制御データが持つ燃焼可能な燃焼ファンの風量領域とがオーバーラップする領域に設定されているので、室内が標準モードの状態であっても、該標準モード時よりも負圧状態であっても、上記点火時のファン風量制御データに従って燃焼ファンの回転制御を行うことによって、確実に点着火を達成することができる。
【００８８】
負圧検知手段が設けられると共に、制御データ転移制御部が設けられているものにあっては、上記負圧検知手段により室内の負圧状態が検知されたときには、点火時風量制御部によって点火時の燃焼ファンの回転制御が行われた後に、上記制御データ転移制御部が、点火時のファン風量制御データから負圧時のファン風量制御データに転移させて燃焼ファンの回転制御を行い、それ以外のときには点火時のファン風量制御データから通常時のファン風量制御データに転移させて燃焼ファンの回転制御を行うので、点着火が達成された後に、燃焼環境に応じてより良好な燃焼を行わせることが可能な適宜のファン風量制御データに転移させて燃焼ファンの回転制御を行うことができる。
【００８９】
排気ガス中のＣＯ濃度に基づく室内の負圧検知と、フレームロッド電流に基づき室内の負圧検知とを併用して室内の負圧を検知する負圧検知手段が設けられている場合には、室内の負圧に起因した燃焼状態の悪化をいち早く検出する必要があり、燃焼悪化を感度良く検出できる燃焼能力の範囲（低燃焼能力範囲）内ではフレームロッド電流に基づき室内の負圧検知を行い、また、燃焼能力の全範囲ではＣＯセンサにより燃焼悪化を検出できることから排気ガス中のＣＯ濃度に基づいて室内の負圧検知を行うことができるので、フレームロッド電流に基づく負圧検出と、ＣＯセンサによるＣＯ濃度検出に基づく負圧検出とを併用することにより、燃焼能力の全範囲において室内の燃焼環境の負圧状況を精度良く検出できることが可能となる。
【００９０】
燃焼能力に対する燃焼ファンの風量が互いに異なる複数段のファン風量制御データが与えられると共に、各ファン風量制御データが持つ燃焼可能な燃焼ファンの風量領域がオーバーラップする領域に設定される点火時のファン風量制御データが複数個与えられ、前回の燃焼状態の停止時に使用されていたファン風量制御データの上又は下の一方側に配置される点火時のファン風量制御データに基づいて点火動作を行い、点着火が達成されないときには前記上又は下の他方側に配置される点火時のファン風量制御データに基づいて点火動作を行う点火時風量制御部を設けたものにあっては、燃焼機器の点火を行うときの燃焼環境が前回の燃焼状態停止時とほぼ同様である場合にはもちろんのこと、燃焼環境が変動したとしても、上記点火時のファン風量制御データは、前回の燃焼停止時に使用されていたファン風量制御データが持つ燃焼可能な風量領域と上記前回の燃焼停止時のファン風量領域の上側又は下側のファン風量制御データが持つ燃焼可能な風量領域とがオーバーラップする領域に設定されていることから、点着火をほぼ確実に達成することができる。
【図面の簡単な説明】
【図１】第１の実施形態例を示すブロック構成図である。
【図２】通常時のファン風量制御データと負圧時のファン風量制御データとに基づいて設定された点火時のファン風量制御データの一例を示すグラフである。
【図３】フレームロッド電流の上側しきい値と下側しきい値の設定例の説明図である。
【図４】フレームロッド電流値により空気不足の燃焼異常状態を検知できる現象を示すモデル図である。
【図５】第２の実施形態例を示すブロック構成図である。
【図６】複数段のファン風量制御データと、それら各ファン風量制御データに基づいて設定された点火時のファン風量制御データの一例を示すグラフである。
【図７】給湯器の一例を示すモデル図である。
【図８】室内が負圧状態になる現象を示す説明図である。
【図９】フレームロッド電流の変化量によって室内の負圧発生と負圧解除を検出する例の説明図である。
【図１０】ファン回転制御データのその他の例を示す説明図である。
【図１１】フレームロッド電流の急激な降下変化量に基づいて室内の急激な負圧発生を検出する例の説明図である。
【図１２】ＣＯ濃度によって室内の負圧状況を検出してファン回転制御を行う動作例のフローチャートである。
【図１３】フレームロッド電流値の標準値データの一例を示すグラフである。
【符号の説明】
２  燃焼ファン
３８  点火時風量制御部
４０  制御データ転移制御部
４１  負圧検知手段
Ｒ  通常時のファン風量制御データ
Ｔ  負圧時のファン風量制御データ
Ｓ，Ｕ  ファン風量制御データ
Ｖ，Ｗ，Ｙ  点火時のファン風量制御データ
【図１】
0003727437.tif 000002
【図２】
0003727437.tif 000003
【図３】
0003727437.tif 000004
【図４】
0003727437.tif 000005
【図５】
0003727437.tif 000006
【図６】
0003727437.tif 000007
【図８】
0003727437.tif 000008
【図７】
0003727437.tif 000009
【図９】
0003727437.tif 000010
【図１０】
0003727437.tif 000011
【図１１】
0003727437.tif 000012
【図１２】
0003727437.tif 000013
【図１３】
0003727437.tif 000014